(57)【要約】【課題】被縫製物の種類に応じて押さえによる被縫製物の押さえ付け力を調節すること。【解決手段】ミシン機枠に上下動可能に支持され、下方に向けて付勢される押さえ棒１と、押さえ棒の先端側に固定される押さえ足２と、押さえ足に中央部を回動自在に連結される押さえ３と、押さえ足に装着され、その一端側４ａが押さえの先端側を下方に付勢する弾性部材４と、を備えるミシンの押さえ装置１００は、弾性部材の一端側が押さえの先端側を下方に付勢する位置と付勢しない位置との間で当該弾性部材の位置を切り替える押さえ力調節機構５を備えている。【選択図】図１
2009050460.tif 000002
【特許請求の範囲】
【請求項１】
ミシン機枠に上下動可能に支持され、下方に向けて付勢される押さえ棒と、
前記押さえ棒の先端側に固定される押さえ足と、
前記押さえ足に中央部を回動自在に連結される押さえと、
前記押さえ足に装着され、その一端側が前記押さえの先端側を下方に付勢する弾性部材と、を備えるミシンの押さえ装置において、
前記弾性部材の一端側が前記押さえの先端側を下方に付勢する位置と付勢しない位置との間で当該弾性部材の位置を切り替える押さえ力調節機構を備えることを特徴とするミシンの押さえ装置。
【請求項２】
前記押さえ力調節機構は、
前記弾性部材の一端側が前記押さえの先端側を下方に付勢しない位置にある場合に、前記弾性部材を当該付勢しない位置で保持する保持機構を備えることを特徴とする請求項１に記載のミシンの押さえ装置。
【請求項３】
前記保持機構は、
前記押さえ棒と前記押さえ足との連結部近傍で、かつ、当該連結部に対して布送り方向下流側に設けられ、前記弾性部材の位置の切り替え操作を行う操作部を備えることを特徴とする請求項２に記載のミシンの押さえ装置。
【請求項４】
前記押さえ力調節機構は、
前記弾性部材の一端側が前記押さえの先端側を下方に付勢する位置から付勢しない位置に当該弾性部材の位置を切り替える際に、前記弾性部材の前記押さえ足への装着部と前記弾性部材の一端側との間で前記弾性部材に当接して当該弾性部材の一端側を上方に押し上げる押上部材を備えることを特徴とする請求項１〜３のいずれか一項に記載のミシンの押さえ装置。
【発明の詳細な説明】
【技術分野】
【０００１】
本発明は、ミシンの押さえ装置に関する。
【背景技術】
【０００２】
ミシンには、ミシンテーブル上に載置された被縫製物としての布を押さえる押さえ装置が設けられている。押さえ装置には、ミシンの上下方向に沿うように上下動自在とされた押さえ棒が備えられている。押さえ棒には、この押さえ棒への付勢力を変更可能な変更部材が設けられている。押さえ棒には、押さえ棒先端側に固定される押さえ足が設けられており、この押さえ足に中央部を回動可能に押さえが連結されている。押さえ足には、一端側が押さえの先端側を付勢するように弾性部材が設けられている。
さらに、ミシンには、押さえ足と押さえとの連結部より後ろ側に配置され、押さえに移動可能に支持されるとともに、移動により押さえ足に接触し、押さえの先端を上昇させる調節部材が設けられている。
このようなミシンにおいて、縫いずれが発生し、これに対応するために押さえの先端の押さえ圧を小さくしたいときは、リフトレバーを動かしてリフトレバーの傾斜部を押さえ足の傾斜部に接触させる。すると、押さえと押さえ足の連結部を支点に押さえが回動し、その先端が上昇するので、針板との間に隙間ができ、押さえ先端の押え圧が小さくなる。これにより、縫いずれを解消することができ、美しい縫製をすることができる（例えば、特許文献１参照。）。
【特許文献１】特開２００３−１８１１７４号公報
【発明の開示】
【発明が解決しようとする課題】
【０００３】
しかし、上記のような押さえ装置においては、押さえ先端を浮かした角度までは、押さえ先端下部に布が抵抗なく入るが、常に弾性部材により押さえ先端にモーメント加重が掛かっているため、布段部が来て押さえの先端が当該角度を超えた時には通常と同じ前押さえモーメントが押さえ先端にかかる。
そのため、段差の低い段部や伸びの少ない布地段部では効果を発揮するが、伸縮しやすい中厚地のニット地の段部などでは当該角度以上に押さえ先端が上がるので、段部が押さえ先端を持ち上げるのに抵抗が大きくなって布詰まりが発生し、中厚地のニット地には効果が小さいという問題があった。
【０００４】
そこで、本発明は、上記課題を解決するためになされたものであり、被縫製物の種類に応じて押さえによる被縫製物の押さえ付け力を調節することができるミシンの押さえ装置を提供することを目的とする。
【課題を解決するための手段】
【０００５】
請求項１に記載の発明は、ミシン機枠に上下動可能に支持され、下方に向けて付勢される押さえ棒と、前記押さえ棒の先端側に固定される押さえ足と、前記押さえ足に中央部を回動自在に連結される押さえと、前記押さえ足に装着され、その一端側が前記押さえの先端側を下方に付勢する弾性部材と、を備えるミシンの押さえ装置において、前記弾性部材の一端側が前記押さえの先端側を下方に付勢する位置と付勢しない位置との間で当該弾性部材の位置を切り替える押さえ力調節機構を備えることを特徴とする。
【０００６】
請求項１に記載の発明によれば、押さえ棒から押さえ足に押圧力が作用すると、押さえ足に装着された弾性部材にもその押圧力が作用する。そして、弾性部材の一端側は、押さえの先端側を下方に付勢する。これにより、押さえの前方においても、被縫製物を押さえ付けることができる。
ここで、中厚地のニット地を縫製する場合のように、押さえの先端を上方に押し上げたい場合には、押さえ力調節機構により、弾性部材の一端側が押さえの先端側を下方に付勢しない位置まで弾性部材の位置を切り替えることができる。
よって、被縫製物の種類に応じて押さえ力調節機構を動かして弾性部材の位置を切り替えることで押さえによる被縫製物の押さえ付け力を調節することができる。
【０００７】
請求項２に記載の発明は、請求項１に記載のミシンの押さえ装置において、前記押さえ力調節機構は、前記弾性部材の一端側が前記押さえの先端側を下方に付勢しない位置にある場合に、前記弾性部材を当該付勢しない位置で保持する保持機構を備えることを特徴とする。
【０００８】
請求項２に記載の発明によれば、弾性部材の位置を保持することができるようになるので、作業者が弾性部材の付勢力に抗して弾性部材を押さえ続ける必要がなくなる。
よって、弾性部材を保持した後は、作業者は両手で作業をすることができ、各部の操作性を向上させることができる。
【０００９】
請求項３に記載の発明は、請求項２に記載のミシンの押さえ装置において、前記保持機構は、前記押さえ棒と前記押さえ足との連結部近傍で、かつ、当該連結部に対して布送り方向下流側に設けられ、前記弾性部材の位置の切り替え操作を行う操作部を備えることを特徴とする。
【００１０】
請求項３に記載の発明によれば、弾性部材の位置の切り替え操作を行う操作部が押さえ棒と押さえ足との連結部近傍で、かつ、当該連結部に対して布送り方向下流側に設けられているので、操作部の操作にあたり、操作部をつかんだ手が布や周囲の部品に接触しにくい。
よって、弾性部材の位置の切り替え操作を行う際の操作性を向上させることができる。
【００１１】
請求項４に記載の発明は、請求項１〜３のいずれか一項に記載のミシンの押さえ装置において、前記押さえ力調節機構は、前記弾性部材の一端側が前記押さえの先端側を下方に付勢する位置から付勢しない位置に当該弾性部材の位置を切り替える際に、前記弾性部材の前記押さえ足への装着部と前記弾性部材の一端側との間で前記弾性部材に当接して当該弾性部材の一端側を上方に押し上げる押上部材を備えることを特徴とする。
【００１２】
請求項４に記載の発明によれば、押上部材により弾性部材を上方に押し上げることができるので、弾性部材の押し上げを簡易な構造で実現させることができる。
【発明の効果】
【００１３】
請求項１に記載の発明によれば、被縫製物の種類に応じて押さえ力調節機構を動かして弾性部材の位置を切り替えることで押さえによる被縫製物の押さえ付け力を調節することができる。
【００１４】
請求項２に記載の発明によれば、弾性部材を保持した後は、作業者は両手で作業をすることができ、各部の操作性を向上させることができる。
【００１５】
請求項３に記載の発明によれば、弾性部材の位置の切り替え操作を行う際の操作性を向上させることができる。
【００１６】
請求項４に記載の発明によれば、弾性部材の押し上げを簡易な構造で実現させることができる。
【発明を実施するための最良の形態】
【００１７】
以下、図面を参照して、本発明に係るミシンの押さえ装置の最良の形態について詳細に説明する。
＜ミシンの押さえ装置の構成＞
図１、図２に示すように、ミシンの押さえ装置１００（以下、押さえ装置１００という。）は、ミシンの縫い針Ｎの近傍に設けられている。押さえ装置１００は、ミシン機枠に上下動可能に支持され、下方に向けて付勢される押さえ棒１と、押さえ棒１の先端側に固定される押さえ足２と、布送り方向に沿った長手方向の中央近傍で押さえ足２に回動自在に連結される押さえ３と、押さえ足２に装着され、その一端側が押さえ３の先端側を下方に付勢する弾性部材としての前押さえバネ４と、前押さえバネ４の一端側が押さえ３の先端側を下方に付勢する位置と付勢しない位置との間で当該前押さえバネ４の位置を切り替える押さえ力調節機構５と、を備えている。
【００１８】
（押さえ足、押さえ）
押さえ足２は、押さえ棒１の下端にネジ止め等により固定されている。
押さえ３は、下面が平面状に形成されており、縫製時に布がずれないように押さえつけると共に、布を下から支持する針板１１から突出する送り歯１２とで布を狭持して布を布送り方向（図１に示すＡ方向）に送る。押さえ３は、布送り方向Ａに沿った長手方向の中央近傍で押さえ足２に連結されているが、押さえ足２は押さえ３の基端側に傾斜しており、押さえ棒１による押圧力は押さえ３の基端部に作用するように押さえ棒１に取り付けられている。押さえ３の先端部は、上方に湾曲するように形成されており、布を送る際に布の段部が押さえ３の先端部に引っ掛からないように形成されている。
【００１９】
（前押さえバネ）
前押さえバネ４は、針金状に形成された弾性力のあるバネ材であり、一端部４ａは、押さえ３の先端側に延びるように形成され、その一端部４ａが押さえ３の先端側の上面に設けられたバネ受け台１３に接するように配置されている。前押さえバネ４の他端部４ｂは、押さえ足２に形成された長穴２ａに挿入されて取り付けられている。
このとき、前押さえバネ４は、自身の弾性力によりバネ受け台１３を上方から押さえ付けるように配置され、押さえ３を下方に付勢する。これにより、押さえ３は基端側だけでなく先端側からも布を押さえ付けることができる。
前押さえバネ４は、一端部４ａと他端部４ｂの間でコイル状に形成されており、このコイル状に形成されたコイル部４ｃが押さえ足２に形成された支点軸部２ｂに挿入されている。すなわち、前押さえバネ４は、コイル部４ｃを中心に回動する。
【００２０】
（押さえ力調節機構）
押さえ力調節機構５は、前押さえバネ４の一端部４ａを上方に持ち上げる動作を行う押し上げリンク５１と、この押し上げリンク５１を動作させるための操作を行う操作レバー５２と、前押さえバネ４の一端部４ａが押さえ３の先端側を下方に付勢しない位置にある場合に、前押さえバネ４を当該付勢しない位置で保持する保持機構５３と、前押さえバネ４の一端部４ａが押さえ３の先端側を下方に付勢する位置から付勢しない位置に当該前押さえバネ４の位置を切り替える際に、前押さえバネ４の押さえ足２への装着部（コイル部４ｃ）と前押さえバネ４の一端部４ａとの間で前押さえバネ４に当接して前押さえバネ４の一端部４ａを上方に押し上げる押上部材５４と、を備えている。
【００２１】
図３、図４に示すように、押し上げリンク５１は、板状に形成され、下端部近傍には、支点軸部２ｂに挿入するための挿入穴５１ａが形成されている。押し上げリンク５１は、挿入穴５１ａに支点軸部２ｂが挿入され、支点軸部２ｂを中心として回転自在に設けられている。押し上げリンク５１の下端部には、前押さえバネ４を下方から上方に持ち上げる際に前押さえバネ４を上方に押さえる押上部材５４が形成されている。押さえ足２の支点軸部２ｂには、まず、押し上げリンク５１が挿入され、押し上げリンク５１に重ねるように前押さえバネ４が挿入される。従って、挿入穴５１ａとコイル部４ｃが対向するように配置されることになる。
【００２２】
図３〜図５に示すように、操作レバー５２は、押さえ足２の上方にねじ止めされている。操作レバー５２は、下端部に止めネジ１４を挿通させるための挿通穴５２ａが形成されている。挿通穴５２ａ内には、円筒状に形成された軸部材１５が挿入されている。そして、止めネジ１４を操作レバー５２の軸部５２ａに形成された挿通穴５２ｂ及び軸部材１５に挿入して押さえ足２に固定することで、操作レバー５２は、押さえ足２に回転自在に取り付けられる。
操作レバー５２の軸部５２ａには、前押さえバネ４の位置の切り替え動作を行う操作部５２ｃが設けられている。操作部５２ｃは、板状に形成され、作業者が把持できる大きさに形成されている。操作部５２ｃは、押さえ棒１と押さえ足２との連結部近傍で、かつ、当該連結部に対して布送り方向下流側に設けられている。
軸部５２ａには、壁部５２ｄが操作部５２ｃに並ぶように設けられている。
【００２３】
操作部５２ｃと壁部５２ｄとの間には、押し上げリンク５１に当接するカム部５２ｅが設けられている。カム部５２ｅは、前押さえバネ４を上方に引き上げて押さえ３を下方に付勢していない状態の時に押し上げリンク５１に当接する第１のカム部５２ｆと、前押さえバネ４が押さえ３を下方に付勢している状態の時に押し上げリンク５１に当接する第２のカム部５２ｇと、を備えている。
第１のカム部５２ｆと第２のカム部５２ｇは、連続するように形成されている。また、第１のカム部５２ｆ及び第２のカム部５２ｇは、押し上げリンク５１と当接している際に、他方のカム部側に移動しないように、その当接面が第１のカム部５２ｆと第２のカム部５２ｇの境界で屈曲するように形成されている。また、操作レバー５２の回転中心となる軸部５２ａの軸心から第１のカム部５２ｆまでの直線距離は、軸部５２ａの軸心から第２のカム部５２ｇまでの直線距離よりも長くなるように形成されている。
カム部５２ｅと押し上げリンク５１との当接面は、操作部５２ｃ及び壁部５２ｄの表面よりも凹んだ位置に形成されており、押し上げリンク５１がカム部５２ｅから操作部５２ｃ及び壁部５２ｄ側にずれないように形成されている。
従って、操作部５２ｃ、壁部５２ｄ、カム部５２ｅを備えることにより保持機構５３が構成される。
【００２４】
＜押さえ装置の動作＞
次に、図１、図２、図５、図６、図７を用いて、押さえ装置１００の動作について説明する。
例えば、デニムのような生地を縫製する場合において、通常の条件で縫製する際には、押さえ３の先端側にも押圧力を付与する。
前押さえバネ４の一端部４ａは、押さえ３に設けられたバネ受け台１３と当接し、押さえ３の先端に対して下方に押し下げる方向のモーメント加重を加えている。
この場合、図１、図６に示すように、操作レバー５２の操作部５２ｃは先端が上方を向くような位置にあり、押し上げリンク５１の側縁部は、第２のカム部５２ｇに当接している。
【００２５】
そして、例えば、中厚地ニット地を縫製する場合においては、操作レバー５２の操作部５２ｃを布送り方向Ａに倒すように回転させ、図２、図７に示すような状態にする。
操作部５２ｃを布送り方向Ａに向けて倒すと、操作レバー５２は軸部材１５を中心に回転し、押し上げリンク５１に当接している第２のカム部５２ｇが徐々に押し上げリンク５１から離間して第１のカム部５２ｆに当接しようとする。
そして、操作レバー５２の回転により、押し上げリンク５１から第２のカム部５２ｇが完全に離れて、第１のカム部５２ｆと第２のカム部５２ｇとの境界で押し上げリンク５１が当接している状態になり、この状態からさらに操作レバー５２を回転させると、やがて押し上げリンク５１は、第１のカム部５２ｆに当接する。
【００２６】
このとき、押し上げリンク５１は、布送り方向Ａ側に倒れるので、支点軸部２ｂを中心に回転する。押し上げリンク５１の回転により、押上部材５４は、その上方にある前押さえバネ４を上方に引き上げ、この動作によって、前押さえバネ４の一端部４ａは、押さえ３のバネ受け台１３から離れて上方に移動する。前押さえバネ４の一端部４ａが上方に移動することにより、押さえ３の先端は前押さえバネ４により下方に付勢されなくなるので、押さえ３の先端における布の押さえ付け力を軽減することができる。
【００２７】
すなわち、押さえ３の先端には、図２に示すように、押さえ棒１によるヒンジ部３１への垂直加重をＦ１、押さえ３の底面の布押さえ部後端よりヒンジ部３１までの水平距離をＬ１、押さえ３の底面の布押さえ部前端よりヒンジ部３１までの水平距離をＬ２、とすると押さえ３の先端にかかる押さえ圧Ｆは、
Ｆ＝Ｌ１／（Ｌ１＋Ｌ２）×Ｆ１
となるため、ニット中厚地の段部が押さえ３の先端に来て、押さえ３の先端を持ち上げるに必要な力はＦのみとなり、軽い力で持ち上がる為、布段部の縫い詰まりは少なくなる。
【００２８】
また、カム部５２ｅは、第１のカム部５２ｆと第２のカム部５２ｇにおける押し上げリンク５１との当接面が屈曲するように形成されているため、操作レバー５２を倒して、前押さえバネ４が押さえ３を付勢しない状態になれば、第１のカム部５２ｆと第２のカム部５２ｇの屈曲部分により操作レバー５２は前押さえバネ４の弾性力では元の位置に戻ることはできない。そのため、前押さえバネ４が押さえ３のバネ受け台１３から離れた状態を保持することができ、前押さえバネ４を一定の高さで保持することができる。
【００２９】
＜作用・効果＞
以上のようなミシンの押さえ装置１００によれば、押さえ棒１から押さえ足２に押圧力が作用すると、押さえ足２に装着された前押さえバネ４にもその押圧力が作用する。そして、前押さえバネ４の一端部４ａは、押さえ３の先端側を下方に付勢する。これにより、押さえ３の前方においても、布を押さえ付けることができる。
ここで、中厚地のニット地を縫製する場合のように、押さえ３の先端の加重を小さくしたい場合には、押さえ力調節機構５により、前押さえバネ４の一端部４ａが押さえ３の先端側を下方に付勢しない位置まで前押さえバネ４の位置を切り替えることができる。
よって、布の種類に応じて押さえ力調節機構５を動かして前押さえバネ４の位置を切り替えることで押さえによる布の押さえ付け力を調節することができる。
【００３０】
また、前押さえバネ４の位置を保持することができるようになるので、作業者が前押さえバネ４の付勢力に抗して操作レバー５２を押さえ続ける必要がなくなる。
よって、前押さえバネ４を保持した後は、作業者は両手で作業をすることができ、各部の操作性を向上させることができる。
【００３１】
また、前押さえバネ４の位置の切り替え操作を行う操作部５２ｃが押さえ棒１と押さえ足２との連結部近傍で、かつ、当該連結部に対して布送り方向下流側に設けられているので、操作部５２ｃの操作にあたり、操作部５２ｃをつかんだ手が布や周囲の部品に接触しにくい。
よって、前押さえバネ４の位置の切り替え操作を行う際の操作性を向上させることができる。
【００３２】
また、押上部材５４により前押さえバネ４を上方に押し上げることができるので、前押さえバネ４の押し上げを簡易な構造で実現させることができる。
【００３３】
＜その他＞
なお、本発明は上記実施形態に限られるものではない。例えば、上記実施形態においては、縫製される被縫製物の種類によって、前押さえバネを移動させるか否かを決定していたが、単に押さえの存在による被縫製物の送り抵抗を軽減するために前押さえバネを上方に引き上げてもよい。
【図面の簡単な説明】
【００３４】
【図１】ミシンの押さえ装置の斜視図であり、前押さえバネにより押さえを下方に付勢している状態を示す図。
【図２】ミシンの押さえ装置の斜視図であり、前押さえバネを押さえから離して上方に移動させた状態を示す図。
【図３】押さえ力調節機構の分解斜視図。
【図４】押さえ力調節機構の分解斜視図。
【図５】保持機構を有する操作レバーの斜視図。
【図６】前押さえバネにより押さえを下方に付勢しているときの押さえ力調節機構の状態を示す斜視図。
【図７】前押さえバネを押さえから離して上方に移動させたときの押さえ力調節機構の状態を示す斜視図。
【符号の説明】
【００３５】
１  押さえ棒
２  押さえ足
３  押さえ
４  前押さえバネ（弾性部材）
５  押さえ力調節機構
５２ｃ  操作部
５２ｄ  壁部
５２ｅ  カム部
５２ｆ  第１のカム部
５２ｇ  第２のカム部
５３  保持機構
５４  押上部材
１００  ミシンの押さえ装置
Ａ  布送り方向
【図１】
2009050460.tif 000003
【図２】
2009050460.tif 000004
【図３】
2009050460.tif 000005
【図４】
2009050460.tif 000006
【図５】
2009050460.tif 000007
【図６】
2009050460.tif 000008
【図７】
2009050460.tif 000009